(57)【要約】【課題】紙幣をほとんどカールさせることなく、紙幣のしわを伸ばす。【解決手段】精算機１０は、筐体１００、収納庫１３０及び熱プレス部２００を備えている。収納庫１３０は、筐体１００の内部にあり、熱プレス部２００は、収納庫１３０の内部にある。収納庫１３０は、複数の紙幣Ｂを収容している。熱プレス部２００は、複数の紙幣Ｂを圧縮し、かつ加熱している。【選択図】図１
2018072970.tif 000002
【特許請求の範囲】
【請求項１】
紙幣を収納可能な収納庫と、
前記収納庫に収納された紙幣を圧縮し、かつ加熱する熱プレス部と、
を備える精算機。
【請求項２】
請求項１に記載の精算機において、
前記熱プレス部は、第１部材及び第２部材を有し、
前記収納庫では、前記第１部材と前記第２部材の間に紙幣が収納され、
前記熱プレス部は、
前記第１部材と前記第２部材とで紙幣を挟むことで紙幣を圧縮し、
前記第１部材と前記第２部材の少なくとも一方を加熱することで紙幣を加熱する精算機。
【請求項３】
請求項２に記載の精算機において、
前記収納庫に新たに収納される紙幣は、前記収納庫に既に収納されている紙幣よりも前記第１部材側に収納され、
前記第１部材は、加熱される精算機。
【請求項４】
請求項３に記載の精算機において、
前記第１部材は、前記収納庫に固定されており、
前記第２部材は、前記第１部材に対して移動可能である精算機。
【請求項５】
請求項４に記載の精算機において、
前記第１部材は、該精算機の高さ方向において前記第２部材よりも高い位置に設けられ、
前記第１部材と前記第２部材とで挟まれた紙幣は該精算機の高さ方向に積層している精算機。
【請求項６】
請求項４に記載の精算機において、
前記第１部材と前記第２部材とで挟まれた紙幣は該精算機の高さ方向に垂直な方向に積層している精算機。
【請求項７】
請求項１〜６のいずれか一項に記載の精算機において、
前記熱プレス部は、
前記収納庫に紙幣が導入される第１モードにおいて、前記収納庫内の紙幣を第１の力で圧縮し、
前記収納庫から紙幣が引き出される第２モード及び前記収納庫に紙幣が導入されず前記収納庫から紙幣が引き出されない第３モードにおいて、前記収納庫内の紙幣を圧縮しない、又は前記第１の力よりも弱い力で前記収納庫内の紙幣を圧縮する精算機。
【請求項８】
請求項７に記載の精算機において、
前記熱プレス部は、
前記第１モードにおいて、前記収納庫内の紙幣を第１の温度に加熱し、
前記第２モード及び前記第３モードにおいて、前記収納庫内の紙幣を加熱しない、又は前記第１の温度よりも低い温度に前記収納庫内の紙幣を加熱する精算機。
【発明の詳細な説明】
【技術分野】
【０００１】
本発明は、精算機に関する。
【背景技術】
【０００２】
紙幣を取り扱う精算機は、紙幣を収納するための収納庫を有している。精算機は、精算機に投入された紙幣を収納庫に収納し、必要に応じて、収納庫から紙幣を払い出す。精算機の一部のユーザにとっては、しわのほとんどない紙幣を顧客にお釣りとして渡すことが必要になる場合ある。このような場合、精算機は、しわのほとんどない紙幣を払い出すことが望まれる。
【０００３】
特許文献１には、紙葉類を搬送する搬送路上で該紙葉類のしわ伸ばし又は殺菌処理を行なうクリーン化機構部を有する紙葉類取扱装置が開示されている。クリーン化機構部内の加熱加圧部は、加熱ローラと、該加熱ローラに押し付けられ巻きつくように接触して回転する無端ベルトとからなる。紙幣が該加熱ローラと無端ベルトとの間を通過することにより、紙幣に対してしわ伸ばし又は殺菌処理が施される。
【先行技術文献】
【特許文献】
【０００４】
【特許文献１】特開平１０−０９１８３８号公報
【発明の概要】
【発明が解決しようとする課題】
【０００５】
特許文献１に記載の紙葉類取扱装置では、紙幣が該加熱ローラと無端ベルトとの間を通過することにより、紙幣に対してしわ伸ばし又は殺菌処理が施される。このため、加熱ローラと無端ベルトとの間を通過した紙幣がカールしてしまうという問題があった。このようにカールした紙幣は、お釣りとしては不適当である。また、精算機内で紙幣がカールしてしまうと、つまりの原因となるおそれがある。
【０００６】
本発明の目的は、紙幣をカールさせることなく、紙幣のしわを伸ばすことにある。
【課題を解決するための手段】
【０００７】
本発明によれば、
紙幣を収納可能な収納庫と、
前記収納庫に収納された紙幣を圧縮し、かつ加熱する熱プレス部と、
を備える精算機が提供される。
【発明の効果】
【０００８】
本発明によれば、紙幣をカールさせることなく、紙幣のしわを伸ばすことができる。
【図面の簡単な説明】
【０００９】
【図１】第１の実施形態に係る精算機を示す図である。
【図２】第２の実施形態に係る精算機を示す図である。
【図３】第３の実施形態に係る精算機を示す図である。
【図４】図３に示した熱プレス部の詳細を説明するための図である。
【図５】図４に示した熱プレス部の動作の一例を説明するための図である。
【図６】図４の変形例を示す図である。
【図７】第４の実施形態に係る精算機に用いられる熱プレス部の詳細を説明するための図である。
【図８】図７に示した熱プレス部の動作の一例を説明するための図である。
【図９】図７の変形例を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（第１の実施形態）
図１は、第１の実施形態に係る精算機１０を示す図である。
【００１２】
精算機１０は、筐体１００、収納庫１３０及び熱プレス部２００を備えている。収納庫１３０は、筐体１００の内部にあり、熱プレス部２００は、収納庫１３０の内部にある。収納庫１３０は、紙幣を収容可能である。図１に示す例では、収納庫１３０は、複数の紙幣Ｂを収容している。熱プレス部２００は、収納庫１３０に収納された紙幣を圧縮し、かつ加熱する。図１に示す例では、熱プレス部２００は、複数の紙幣Ｂを圧縮し、かつ加熱している。熱プレス部２００は、例えば加熱されたプレート（板）である。
【００１３】
本実施形態によれば、紙幣をカールさせることなく、紙幣のしわを伸ばすことができる。具体的には、本実施形態においては、紙幣は、収納庫１３０内に置かれた状態で熱プレス部２００によって圧縮され、かつ加熱される。そのため、特許文献１に記載の、加熱ローラ及び無端ベルトを用いた紙葉類取扱装置を用いて紙幣のしわを伸ばす場合とは異なり、紙幣がカールすることがない。
【００１４】
さらに、本実施形態によれば、精算機１０のサイズが大きくなることを抑制することができる。具体的には、上述したように、熱プレス部２００は、収納庫１３０に収容された紙幣を圧縮し、かつ加熱する。言い換えると、紙幣の圧縮及び加熱は、収納庫１３０の内部の空間を用いて行われている。このため、本実施形態では、特許文献１におけるクリーン化機構部のような、紙幣の圧縮及び加熱を行うための空間を収納庫１３０とは別に設ける必要がない。このため、本実施形態によれば、精算機１０のサイズが大きくなることを抑制することができる。
【００１５】
図１に示す例では、収納庫１３０には、紙幣Ｂが収納庫１３０の高さ方向に積層されて収納されている。熱プレス部２００は、収納庫１３０の高さ方向に紙幣を圧縮可能である。
【００１６】
（第２の実施形態）
図２は、第２の実施形態に係る精算機１０を示す図であり、第１の実施形態の変形例である。図２に示す例では、収納庫１３０には、紙幣Ｂが収納庫の高さ方向に垂直な方向に積層されて収納されている。熱プレス部２００は、収納庫１３０の高さ方向に垂直な方向に紙幣を圧縮可能である。その他の構成については、第１の実施形態で説明した通りである。
【００１７】
本実施形態によれば、第１の実施形態と同様にして、紙幣をカールさせることなく、紙幣のしわを伸ばすことができる。
【００１８】
さらに、本実施形態によれば、第１の実施形態と同様にして、精算機１０のサイズが大きくなることを抑制することができる。
【００１９】
（第３の実施形態）
図３は、第３の実施形態に係る精算機１０を示す図である。本実施形態に係る精算機１０は、以下の点を除いて、第１の実施形態に係る精算機１０と同様である。
【００２０】
精算機１０は、筐体１００、開口１１０、搬送路１２０、複数の収納庫１３０、識別部１４２、識別部１４４及び排出口１５０を備えている。
【００２１】
紙幣は、開口１１０を通過することができる。これにより、精算機１０のユーザ（例えば、精算機１０が設置されている店の顧客又は店員）は、開口１１０から紙幣を投入することができる。さらに、精算機１０は、開口１１０から紙幣を払い出すことができる。
【００２２】
搬送路１２０は、開口１１０に投入された紙幣を収納庫１３０に搬送し、かつ収納庫１３０に収納された紙幣を開口１１０に搬送する。一例において、搬送路１２０は、搬送ローラ（不図示）を用いて紙幣を搬送する。
【００２３】
複数の収納庫１３０は、互いに異なる種類の紙幣を収納可能である。例えば日本国で使用される精算機である場合、図３に示すように、３つの収納庫１３０、すなわち、１０００円札用の収納庫１３０、５０００円札用の収納庫１３０及び１００００円札用の収納庫１３０を備えている。図３に示す例では、３つの収納庫１３０は、開口１１０側から、１００００円札用の収納庫１３０、５０００円札用の収納庫１３０及び１０００円札用の収納庫１３０の順で並んでいる。さらに、図３に示す例では、１０００円札用の収納庫１３０の容積は、３つの収納庫１３０の容積の中で最大となっている。なお、収納庫１３０の数及び各収納庫１３０に収納される紙幣の種類は、図３に示す例に限定されない。
【００２４】
識別部１４２は、開口１１０に投入された紙幣を識別する。精算機１０は、識別部１４２の識別結果に基づいて、開口１１０に投入された紙幣の種類及び開口１１０に投入された紙幣の枚数を判断することができる。
【００２５】
識別部１４４は、複数の収納庫１３０から引き出された紙幣を識別する。精算機１０は、識別部１４４の識別結果に基づいて、複数の収納庫１３０から引き出された紙幣の種類及び複数の収納庫１３０から引き出された紙幣の枚数を判断することができる。なお、図３に示す例では、識別部１４４は、搬送路１２０に沿って識別部１４２よりも奥にある。
【００２６】
排出口１５０は、不適当な紙幣（例えば、偽札又は著しく折れ曲がった紙幣）を排出するために用いられる。具体的には、開口１１０に不適当な紙幣が投入された場合、精算機１０は、識別部１４２の識別結果に基づいて、開口１１０に投入された紙幣が不適当な紙幣であると判断することができる。この場合、精算機１０は、収納庫１３０にこの紙幣を搬送することなく、排出口１５０からこの紙幣を排出する。なお、開口１１０に投入された紙幣が不適当な紙幣であると判断された場合に、精算機１０は、排出口１５０からこの紙幣を排出する前に、リジェクト庫（不図示）に収納することもできる。ここで、リジェクト庫は、不適当な紙幣を収納するための空間である。
【００２７】
図４は、図３に示した熱プレス部２００の詳細を説明するための図である。熱プレス部２００は、第１部材２１０及び第２部材２２０を有している。収納庫１３０には、複数の紙幣Ｂが第１部材２１０と第２部材２２０の間に収納されている。第１部材２１０及び第２部材２２０は、収納庫１３０の高さ方向に並んで設けられており、第１部材２１０は、第２部材２２０よりも高い位置にある。第１部材２１０と第２部材２２０の間には、複数の紙幣Ｂが収納庫１３０の高さ方向に積層されている。
【００２８】
熱プレス部２００は、第１部材２１０と第２部材２２０で紙幣を挟むことで紙幣を圧縮しており、特に図４に示す例では、第１部材２１０と第２部材２２０で複数の紙幣Ｂを挟むことで複数の紙幣Ｂを圧縮している。具体的には、第１部材２１０は、収納庫１３０に固定されており、第２部材２２０は、第１部材２１０に対して移動可能になっている。第２部材２２０の位置（高さ）は、圧縮制御器３１０によって制御されている。圧縮制御器３１０は、第１部材２１０と第２部材２２０の間の紙幣を圧縮するための力を制御している。紙幣を圧縮する場合、圧縮制御器３１０は、駆動器、例えばモータを用いて、第２部材２２０を第１部材２１０に向けて移動させる。これにより、第１部材２１０と第２部材２２０で紙幣を圧縮することができる。
【００２９】
なお、第２部材２２０は、弾性部材２３０（図４に示す例では、バネ）を介して収納庫１３０に取り付けられている。第１部材２１０と第２部材２２０によって紙幣を圧縮する場合、第２部材２２０には、上述したように第１部材２１０に向けて力が加えられており、この場合、弾性部材２３０の長さは弾性部材２３０の自然長よりも長くなっている。このため、第２部材２２０への力を解除すると、弾性部材２３０の弾性力によって、第２部材２２０は、第１部材２１０から離れる方向に向けて移動する。
【００３０】
紙幣を圧縮する力は、精算機１０の動作モードに応じて変えることができる。これにより、紙幣を圧縮する必要のないタイミングで紙幣が圧縮されることがなくなり、熱プレス部２００を効率的に動作させることができる。一例において、収納庫１３０に紙幣が導入される第１モードにおいて、圧縮制御器３１０は、第２部材２２０の位置（高さ）を制御し、これにより、熱プレス部２００は、紙幣を第１の力で圧縮することができる。ただし、熱プレス部２００は、収納庫１３０に紙幣が導入されている最中は紙幣を圧縮しない。第１モードに対して、収納庫１３０から紙幣が引き出される第２モード及び収納庫１３０に紙幣が導入されず収納庫１３０から紙幣が引き出されない第３モード（例えば、待機モード）において、圧縮制御器３１０は、第２部材２２０の位置（高さ）を制御し、これにより、熱プレス部２００は、紙幣を圧縮しないこと、又は上述した第１の力よりも弱い力で紙幣を圧縮することができる。
【００３１】
熱プレス部２００は、第１部材２１０を加熱する（すなわち第１部材２１０から熱を放出させる）ことで紙幣を加熱している。具体的には、加熱制御器３２０が、第１部材２１０への加熱を制御している。より具体的には、第１部材２１０は抵抗を有しており、加熱制御器３２０は、抵抗に流れる電流を制御することで、第１部材２１０への加熱を制御することができる。
【００３２】
第１部材を加熱する際の温度は、精算機１０の動作モードに応じて変えることができる。これにより、紙幣を加熱する必要のないタイミングで紙幣が加熱されることがなくなり、熱プレス部２００を効率的に動作させることができる。一例において、収納庫１３０に紙幣が導入される第１モードにおいて、加熱制御器３２０は、第１部材２１０への加熱を制御し、これにより、熱プレス部２００は、紙幣を第１の温度で加熱することができる。これに対して、収納庫１３０から紙幣が引き出される第２モード及び収納庫１３０に紙幣が導入されず収納庫１３０から紙幣が引き出されない第３モード（例えば、待機モード）において、加熱制御器３２０は、第１部材２１０への加熱を制御し、これにより、熱プレス部２００は、紙幣を加熱しないこと、又は上述した第１の温度よりも低い温度で紙幣を加熱することができる。
【００３３】
一例において、熱プレス部２００は、第１部材２１０に接する紙幣の温度が８０℃以上１２０℃以下になるよう紙幣を加熱する。すなわち、加熱制御器３２０は、第１部材２１０に接する紙幣の温度が８０℃以上１２０℃以下になるよう第１部材２１０への加熱を制御する。紙幣のしわを取り除く観点からすると、第１部材２１０に接する紙幣の温度は、８０℃以上であることが好ましい。これに対して、精算機１０の温度が過剰に上昇することを防止する観点からすると、第１部材２１０に接する紙幣の温度は、１２０℃以下であることが好ましい。
【００３４】
図５は、図４に示した熱プレス部２００の動作の一例を説明するための図である。図５に示す例では、複数の紙幣Ｂが既に収納庫１３０に収納されており、紙幣Ｂ１が新たに収納庫１３０に収納されている。
【００３５】
図５に示すように、紙幣Ｂ１は、複数の紙幣Ｂよりも第１部材２１０側に収納される。上述したように、第１部材２１０は、熱を放出可能である。
【００３６】
上記構成によれば、紙幣Ｂ１を加熱するためのエネルギーを小さくすることができる。具体的には、上記構成においては、紙幣Ｂ１は、収納庫１３０（第１部材２１０と第２部材２２０の間）に収納された後、第１部材２１０の近傍に位置するようになる。このため、第１部材２１０からの熱が紙幣Ｂ１に容易に伝わることになる。この場合、第２部材２２０から熱を放出しなくても紙幣Ｂ１を十分に高い温度に加熱することができる。このため、上記構成においては、第２部材２２０から熱を放出させるためのエネルギーが不要になる。このようにして、上記構成によれば、紙幣Ｂ１を加熱するためのエネルギーを小さくすることができる。
【００３７】
図６は、図４の変形例を示す図である。図６に示す例では、第１部材２１０だけでなく第２部材２２０も加熱される。加熱制御器３２０は、第１部材２１０への加熱だけでなく、第２部材２２０への加熱も制御する。この場合、第１部材２１０と第２部材２２０の間の複数の紙幣Ｂは、第１部材２１０及び第２部材２２０の双方から熱を受けることができる。このため、複数の紙幣Ｂを短時間で加熱することができる。
【００３８】
（第４の実施形態）
【００３９】
図７は、第４の実施形態に係る精算機１０に用いられる熱プレス部２００の詳細を説明するための図であり、第３の実施形態の図４に対応する。本実施形態に係る精算機１０は、以下の点を除いて、第３の実施形態に係る精算機１０と同様である。
【００４０】
第１部材２１０及び第２部材２２０は、収納庫１３０の高さ方向に垂直な方向に並んで設けられている。第１部材２１０と第２部材２２０の間には、複数の紙幣Ｂが収納庫１３０の高さ方向に垂直な方向に積層されている。
【００４１】
熱プレス部２００は、第１部材２１０と第２部材２２０で紙幣を挟むことで紙幣を圧縮しており、特に図７に示す例では、第１部材２１０と第２部材２２０で複数の紙幣Ｂを挟むことで複数の紙幣Ｂを圧縮している。具体的には、第１部材２１０は、収納庫１３０に固定されており、第２部材２２０は、第１部材２１０に対して移動可能になっている。第２部材２２０の位置は、圧縮制御器３１０によって制御されている。圧縮制御器３１０は、第１部材２１０と第２部材２２０の間の紙幣を圧縮するための力を制御している。紙幣を圧縮する場合、圧縮制御器３１０は、駆動器、例えばモータを用いて、第２部材２２０を第１部材２１０に向けて移動させる。これにより、第１部材２１０と第２部材２２０で紙幣を圧縮することができる。
【００４２】
なお、第２部材２２０は、弾性部材２３０（図７に示す例では、バネ）を介して収納庫１３０に取り付けられている。第１部材２１０と第２部材２２０によって紙幣を圧縮する場合、第２部材２２０には、上述したように第１部材２１０に向けて力が加えられており、この場合、弾性部材２３０の長さは弾性部材２３０の自然長よりも長くなっている。このため、第２部材２２０への力を解除すると、弾性部材２３０の弾性力によって、第２部材２２０は、第１部材２１０から離れる方向に向けて移動する。
【００４３】
紙幣を圧縮する力は、精算機１０の動作モードに応じて変えることができる。これにより、紙幣を圧縮する必要のないタイミングで紙幣が圧縮されることがなくなり、熱プレス部２００を効率的に動作させることができる。一例において、収納庫１３０に紙幣が導入される第１モードにおいて、圧縮制御器３１０は、第２部材２２０の位置を制御し、これにより、熱プレス部２００は、紙幣を第１の力で圧縮することができる。これに対して、収納庫１３０から紙幣が引き出される第２モード及び収納庫１３０に紙幣が導入されず収納庫１３０から紙幣が引き出されない第３モード（例えば、待機モード）において、圧縮制御器３１０は、第２部材２２０の位置を制御し、これにより、熱プレス部２００は、紙幣を圧縮しないこと、又は上述した第１の力よりも弱い力で紙幣を圧縮することができる。
【００４４】
熱プレス部２００は、第１部材２１０を加熱する（すなわち第１部材２１０から熱を放出させる）ことで紙幣を加熱している。具体的には、加熱制御器３２０が、第１部材２１０への加熱を制御している。具体的には、第１部材２１０は抵抗を有しており、加熱制御器３２０は、抵抗に流れる電流を制御することで、第１部材２１０への加熱を制御することができる。
【００４５】
紙幣の温度は、精算機１０の動作モードに応じて変えることができる。これにより、紙幣を加熱する必要のないタイミングで紙幣が加熱されることがなくなり、熱プレス部２００を効率的に動作させることができる。一例において、収納庫１３０に紙幣が導入される第１モードにおいて、加熱制御器３２０は、第１部材２１０から放出される熱を制御し、これにより、熱プレス部２００は、紙幣を第１の温度に加熱することができる。これに対して、収納庫１３０から紙幣が引き出される第２モード及び収納庫１３０に紙幣が導入されず収納庫１３０から紙幣が引き出されない第３モード（例えば、待機モード）において、加熱制御器３２０は、第１部材２１０から放出される熱を制御し、これにより、熱プレス部２００は、紙幣を加熱しないこと、又は上述した第１の温度よりも低い温度に紙幣を加熱することができる。
【００４６】
図８は、図７に示した熱プレス部２００の動作の一例を説明するための図であり、第３の実施形態の図５に対応する。図８に示す例では、複数の紙幣Ｂが既に収納庫１３０に収納されており、紙幣Ｂ１が新たに収納庫１３０に収納されている。
【００４７】
図８に示すように、紙幣Ｂ１は、複数の紙幣Ｂよりも第１部材２１０側に収納される。上述したように、第１部材２１０は、熱を放出可能である。
【００４８】
上記構成によれば、紙幣Ｂ１を加熱するためのエネルギーを小さくすることができる。具体的には、上記構成においては、紙幣Ｂ１は、収納庫１３０（第１部材２１０と第２部材２２０の間）に収納された後、第１部材２１０の近傍に位置するようになる。このため、第１部材２１０からの熱が紙幣Ｂ１に容易に伝わることになる。この場合、第２部材２２０から熱を放出しなくても紙幣Ｂ１を十分に高い温度に加熱することができる。このため、上記構成においては、第２部材２２０から熱を放出させるためのエネルギーが不要になる。このようにして、上記構成によれば、紙幣Ｂ１を加熱するためのエネルギーを小さくすることができる。
【００４９】
図９は、図７の変形例を示す図である。図９に示す例では、第１部材２１０だけでなく、第２部材２２０も加熱される。加熱制御器３２０は、第１部材２１０への加熱だけでなく、第２部材２２０への加熱も制御する。この場合、第１部材２１０と第２部材２２０の間の複数の紙幣Ｂは、第１部材２１０及び第２部材２２０の双方から熱を受けることができる。このため、複数の紙幣Ｂを短時間で加熱することができる。  
【００５０】
以上、図面を参照して本発明の実施形態について述べたが、これらは本発明の例示であり、上記以外の様々な構成を採用することもできる。
【符号の説明】
【００５１】
１０  精算機
１００  筐体
１３０  収納庫
２００  熱プレス部
２１０  第１部材
２２０  第２部材
２３０  弾性部材
３１０  圧縮制御器
３２０  加熱制御器
【図１】
2018072970.tif 000003
【図２】
2018072970.tif 000004
【図３】
2018072970.tif 000005
【図４】
2018072970.tif 000006
【図５】
2018072970.tif 000007
【図６】
2018072970.tif 000008
【図７】
2018072970.tif 000009
【図８】
2018072970.tif 000010
【図９】
2018072970.tif 000011